(57)【要約】【課題】水中洗浄に際し、除去した異物が再度被洗浄物に再付着するのを防止する。【解決手段】被洗浄物１０を挿入して水中に配置する洗浄槽１と、被洗浄物１０の配置位置下方側で前記洗浄槽１に設けられた仕切り板３と、仕切り板３上方で、洗浄槽１に配置された被洗浄物１０に水流を噴出して被洗浄物１０の異物１１を洗浄する洗浄ノズル２と、洗浄槽１内で仕切り板３の上方側から下方側に向けて水流を生じさせる強制水流装置（送水管５）を備え、仕切り板３には、強制水流装置で生じさせた水流が通過する開放部３ａを設け、仕切り板３の少なくとも一部を下方から上方に向けた水流の通過が可能なフィルター３ｂで構成する。【選択図】図１
2009142792.tif 000002
【特許請求の範囲】
【請求項１】
被洗浄物を挿入して水中に配置する洗浄槽と、前記被洗浄物の配置位置下方側で前記洗浄槽に設けられた仕切り板と、前記仕切り板上方で、前記洗浄槽に配置された前記被洗浄物に水流を噴出して該被洗浄物の異物を洗浄する洗浄ノズルと、前記洗浄槽内で前記仕切り板の上方側から下方側に向けて水流を生じさせる強制水流装置とを備え、前記仕切り板は、前記強制水流装置で生じさせた水流が通過する開放部が設けられているとともに、少なくとも一部が下方から上方に向けた水流の通過が可能なフィルターで構成されていることを特徴とする洗浄装置。
【請求項２】
前記強制水流装置は、前記被洗浄物を挟んで前記洗浄ノズルと対面する位置の上方側に配置されていることを特徴とする請求項１記載の洗浄装置。
【請求項３】
前記強制水流装置は、前記開放部と前記フィルターを通して仕切り板の上下間で水流を回流させるものであることを特徴とする請求項１または２に記載の洗浄装置。
【発明の詳細な説明】
【技術分野】
【０００１】
この発明は、洗浄槽内で被洗浄物に水流を噴射して被洗浄物の異物を洗浄する洗浄装置に関するものである。
【背景技術】
【０００２】
製造のままで、バリが残ったり切削屑が付着するなどして異物が表面に付着した製造物は、そのままでは製品として使用ができないので、前記異物を除去する必要がある。該異物の除去方法の一つとしては、前記製造品を被洗浄物として洗浄槽内で水中に置き、この水中で水流を製造品に向けて噴射して噴流が衝突する力で前記異物を除去する水中洗浄の方法が知られている（例えば特許文献１〜３参照）。
【０００３】
上記水中洗浄方法に用いられる水中洗浄機の概略を図２に基づいて説明する。
水中洗浄機は、洗浄液２３を収容する洗浄槽２０を備えており、該洗浄槽２０は、洗浄液２３中に配置される被洗浄物１０に向けて水流を噴射する洗浄ノズル２１を有している。
この水中洗浄機の動作について説明すると、載置フレーム２２などによって被洗浄物３０を支持して洗浄液２３中に被洗浄物１０を配置し、この被洗浄物１０に向けて前記洗浄ノズル２１から噴流２１ａを噴射する。この噴流２１ａは、被洗浄物１０に衝突し、その力で被洗浄物表面にある異物を除去する。この噴流２１ａによって洗浄槽２０内には水流が生じ、被洗浄物１０から除去された異物１１は、この水流に乗って洗浄液２３中を漂うことになる。
【０００４】
水中洗浄機は、被洗浄物を水中に入れ浮力のある状態で水流を流し被洗浄物の異物を除去する洗浄方法であるが、問題点として一度除去を行った異物が上記のように水中に漂い、水流に乗って移動し、再びノズルの力で被洗浄物に再進入してしまうため完全な洗浄をすることが難しいという問題がある。また、被洗浄物を洗浄液から取り出す際に、洗浄液に漂う異物が再付着してしまうものもある。この再付着は、前記従来技術でも課題として提示されている。
【０００５】
例えば、特許文献１では、被洗浄物の収納体を上下動手段に接続して洗浄槽内で上下動可能とし、この収納体の少なくとも上端に、汚物の流通を阻止するが洗浄液を流通させるフィルターを設置している。さらに収納体の下底壁または側壁を開放可能とし、収納体が洗浄液から離脱した時に、下底壁または側壁を開放して内部の洗浄液と汚物とを洗浄槽中に排出可能とし、収納体の洗浄液内挿入時には、開放部を閉止するとともにフィルターを介して洗浄液を収納体内に導入し得るものとしている。これにより被洗浄物を洗浄槽内から取り出す際に、洗浄液に漂う異物と被洗浄物との接触を防止するものとしている。
また、特許文献３では、洗浄槽から排水する際、ノズルからエアのみを噴出し、洗浄液を対流させながら排水するものとしている。
【特許文献１】特開平２−２８０８７８号公報
【特許文献２】特開平７−１６４２７６号公報
【特許文献３】特開２００７−１４４３０８号公報
【発明の開示】
【発明が解決しようとする課題】
【０００６】
しかし、前記した特許文献１、３に示された対策では、被洗浄物に対する異物の接触を完全に回避することはできず、異物の再付着を効果的に防止することができないという問題がある。また、特許文献１、３に示される対策を行うための装置では、駆動のための機構やエアのみを噴出するための機構などが必要になり、装置が複雑になり、装置コストも増大するという問題もある。
【０００７】
本発明は上記事情を背景としてなされたものであり、装置構造を複雑にすることなく、一旦除去した異物の再付着を効果的に防止することができる洗浄装置を提供することを目的とする。
【課題を解決するための手段】
【０００８】
すなわち、本発明の洗浄装置のうち、第１の本発明は、被洗浄物を挿入して水中に配置する洗浄槽と、前記被洗浄物の配置位置下方側で前記洗浄槽に設けられた仕切り板と、前記仕切り板上方で、前記洗浄槽に配置された前記被洗浄物に水流を噴出して該被洗浄物の異物を洗浄する洗浄ノズルと、前記洗浄槽内で前記仕切り板の上方側から下方側に向けて水流を生じさせる強制水流装置とを備え、前記仕切り板は、前記強制水流装置で生じさせた水流が通過する開放部が設けられているとともに、少なくとも一部が下方から上方に向けた水流の通過が可能なフィルターで構成されていることを特徴とする。
【０００９】
本発明によれば、被洗浄物から除去された異物が、強制水流装置で生じさせた水流で運ばれて、仕切り板の開放部を通して仕切り板下方側へと移動する。さらに水流は、仕切り板の下方側でフィルタを通過して仕切り板の上方へと移動する。この際に、フィルターの透過大きさを適切に設定することで、被洗浄物から除去された異物はフィルターで補足され仕切り板の下方に留まり、水のみをフィルターの上方側に通過させることができる。また、仕切り板の開放部では、上記のように強制水流装置で下方に向けた水流が生じているので、仕切り板の下方に運ばれた異物が再度仕切り板の上方に移動することはなく、被洗浄物への再進入の原因となるノズル近傍での異物の浮遊を防止できる。
【００１０】
第２の本発明の洗浄装置は、前記第１の本発明において、前記強制水流装置が、前記被洗浄物を挟んで前記洗浄ノズルと対面する位置の上方側に配置されていることを特徴とする。
【００１１】
また、第２の本発明によれば、洗浄ノズルから噴射された水流によって除去された異物が、該水流によって移動する先で、上方側から下方に向けた水流が加えられ、水中に浮遊する異物を確実に仕切り板の開放部を通して仕切り板下方側へ運ぶことができる。
【００１２】
第３の本発明の洗浄装置は、前記第１または第２の本発明において、  前記強制水流装置は、前記開放部と前記フィルターを通して仕切り板の上下間で水流を回流させるものであることを特徴とする。
【００１３】
第３の本発明によれば、開放部に対し、仕切り板を適切な位置に設置することで、仕切り板の上下間で、回流が生じ一定定常方向に液がながれるので、異物を確実に仕切り板下方側に留まらせることができ洗浄効果も高まる
【発明の効果】
【００１４】
本発明によれば、被洗浄物を挿入して水中に配置する洗浄槽と、前記被洗浄物の配置位置下方側で前記洗浄槽に設けられた仕切り板と、前記仕切り板上方で、前記洗浄槽に配置された前記被洗浄物に水流を噴出して該被洗浄物の異物を洗浄する洗浄ノズルと、前記洗浄槽内で前記仕切り板の上方側から下方側に向けて水流を生じさせる強制水流装置とを備え、前記仕切り板は、前記強制水流装置で生じさせた水流が通過する開放部が設けられているとともに、少なくとも一部が下方から上方に向けた水流の通過が可能なフィルタで構成されているので、被洗浄物から除去された異物が仕切り板の下方側へと移動して留まり、被洗浄物に異物が再進入したり再付着したりするのを確実に防止する効果がある。
【発明を実施するための最良の形態】
【００１５】
以下に、本発明の一実施形態を説明する。
水中洗浄機は、洗浄液４を収容する洗浄槽１を備えており、該洗浄槽１は、被洗浄物１０が載置フレーム６で配置される位置よりも下方の位置において、横方向に沿って仕切り板３が設けられている。この仕切り板３の上方側には、被洗浄物１０に向けて側方から水流を噴射する洗浄ノズル２が設けられている。洗浄ノズル２は、仕切り板３の上方側にのみ噴流２ａが生じるように配置されている。
【００１６】
また、載置フレーム６で支持された被洗浄物１０を挟んで洗浄ノズル２と対面する位置の上方側には、強制水流装置として外部水源から送水される送水管５が配置されてあり、送水管５の送水口５ａは下方に向けられている。この送水管５の送水口５ａの下方側では、仕切り板３に開放部３ａが設けられており、送水管５によって生じる水流５ｂが開放部３ａを通して仕切り板３の下方に通過できるようになっている。また、仕切り板３の一部は、洗浄ノズル２と被洗浄物１０との間で、フィルター３ｂによって構成されており、上下間での水の通過が可能になっている。このフィルター３ｂの透過大きさは、被洗浄物１０から除去される異物が通過しない大きさとされている。
【００１７】
なお、この実施形態では、強制水流装置としては外部から水が送水される送水管を示したが、本発明としては、強制水流装置の構成がこれに限定されるものではなく、要は下方に向けて強制的に水流を生じさせることができるものであればよい。例えばポンプを用いて水流を生じさせるようなものでもよい。
【００１８】
以下に、本実施形態の水中洗浄機の動作について説明する。
洗浄槽１に洗浄液４を収容し、洗浄槽１上に位置させた載置フレーム６に被洗浄物１０を載置する。この載置フレーム６を下降させて、洗浄槽１の洗浄液４中に被洗浄物１０を挿入・配置する。
次いで、送水管５から下方側に向けて送水を行いつつ、洗浄ノズル２から洗浄液を噴射する。洗浄ノズル２から噴射された噴流２ａは、被洗浄物１０に当たり、その力で被洗浄物１０の異物１１を除去する。噴流２ａなどによって生じる水流は、除去した異物を下流側へと移動させる。上記水流は、送水管５の下方側にまで至る。送水管５の送水口５ａからは下方に向けて送水がなされており、上記水流が重なって下方側への水流が生じる。この水流は開放部３ａを通して下方側への通過が可能になっており、仕切り板３の下方側に水および異物が移動する。
【００１９】
仕切り板３の下方に至った水流は、仕切り板３の下方側で仕切り板３に沿ってフィルター３ｂにまで至り、ここで異物１１が補足され、水はフィルター３ｂを通過して仕切り板３の上方側に至る。この水流は、噴射ノズル２による噴流と重なって被洗浄物１０側へと向かう。これにより、仕切り板３の上下間で、開放部３ａとフィルター３ｂとを通して一定定常方向の回流が生じることになる。
【００２０】
被洗浄物１０から除去された異物１１は、上記回流によって確実に仕切り板３の下方側に持ち去られ、フィルター３ｂで補足されることで再度仕切り板３の上方側に移動することがない。これにより、噴流２ａによって異物が被洗浄物１０に再進入することはない。また、洗浄の継続によって被洗浄物１０の周囲では次第に異物が減少し、被洗浄物１０から異物が取りきられることで被洗浄物の周囲には異物が全くない状態にすることができる。これにより、洗浄が終了するまで被洗浄物には異物が再進入することはなく、高い洗浄効果を得ることができる。また、洗浄液から被洗浄物を取り出す際に異物が再付着することもない。
以上、本発明について上記実施形態に基づいて説明を行ったが、本発明は上記実施形態の内容に限定されるものではなく、当然に本発明を逸脱しない範囲で変更が可能である。
【図面の簡単な説明】
【００２１】
【図１】本発明の一実施形態における洗浄機を示す断面図である。
【図２】従来の洗浄機を示す断面図である。
【符号の説明】
【００２２】
１    洗浄槽
２    洗浄ノズル
２ａ  噴流
３    仕切り板
３ａ  開放部
３ｂ  フィルター
４    洗浄液
５    送水管
１０    被洗浄物
【図１】
2009142792.tif 000003
【図２】
2009142792.tif 000004